Podtech/llm-jp-corpus-v4-ja_patent huggingface dataset:
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
放射線画像の撮影を行う放射線画像撮影装置と、
前記放射線画像撮影装置を保持する撮影台と、
前記放射線画像撮影装置の撮影による画像データを取得する外部処理装置とを備え、
前記放射線画像撮影装置は、
前記撮影台への装着を検出する装着検出部と、
前記外部処理装置との無線通信を行う第一の無線通信部と、
前記第一の無線通信部よりも近距離の無線通信を行う第二の無線通信部とを備え、
前記放射線画像撮影装置は、
前記装着検出部により前記撮影台への装着が検出された後に前記第二の無線通信部への電源供給を開始することを特徴とする放射線画像撮影システム。
【請求項２】
前記放射線画像撮影装置は、
前記第二の無線通信部により前記撮影台に設けられた通信端末と無線通信を行い、当該通信端末から前記撮影台に記憶された情報を取得することを特徴とする請求項１記載の放射線画像撮影システム。
【請求項３】
前記放射線画像撮影装置は、
前記撮影台に記憶された情報として前記第一の無線通信部による無線通信を確立するための通信情報を取得することを特徴とする請求項２記載の放射線画像撮影システム。
【請求項４】
前記放射線画像撮影装置は、
前記撮影台に記憶された情報として前記撮影台に関する情報を取得することを特徴とする請求項２又は３記載の放射線画像撮影システム。
【請求項５】
前記放射線画像撮影装置は、
前記装着検出部により前記撮影台への装着が検出された後に前記第一の無線通信部への電源供給を開始することを特徴とする請求項１から４のいずれか一項に記載の放射線画像撮影システム。
【請求項６】
前記放射線画像撮影装置は、
前記装着検出部により前記放射線画像撮影装置の前記撮影台への装着が検出された状態で、
前記第二の無線通信部が前記撮影台に設けられた通信端末との間で無線通信ができなかった場合に、
前記装着検出部による前記放射線画像撮影装置の前記撮影台への装着の検出を再度実行することを特徴とする請求項１から５のいずれか一項に記載の放射線画像撮影システム。
【請求項７】
放射線画像の撮影を行う放射線画像撮影装置と、
前記放射線画像撮影装置を保持する撮影台と、
を備え、
前記放射線画像撮影装置は、
前記撮影台への装着を検出する装着検出部と、
前記撮影台との間で無線通信を行う無線通信部とを備え、
前記放射線画像撮影装置は、
前記装着検出部により前記撮影台への装着が検出された後に前記無線通信部への電源供給を開始することを特徴とする放射線画像撮影システム。
【請求項８】
前記放射線画像撮影装置は、
前記無線通信部により前記撮影台に設けられた通信端末と無線通信を行い、当該通信端末から前記撮影台に記憶された情報を取得することを特徴とする請求項７記載の放射線画像撮影システム。
【請求項９】
前記放射線画像撮影装置は、
前記撮影台に記憶された情報として前記撮影台に関する情報を取得することを特徴とする請求項８記載の放射線画像撮影システム。
【請求項１０】
前記放射線画像撮影装置は、
前記装着検出部により前記放射線画像撮影装置の前記撮影台への装着が検出された状態で、
前記無線通信部が前記撮影台に設けられた通信端末との間で無線通信ができなかった場合に、
前記装着検出部による前記放射線画像撮影装置の前記撮影台への装着の検出を再度実行することを特徴とする請求項７から９のいずれか一項に記載の放射線画像撮影システム。
【請求項１１】
前記装着検出部は、加速度センサーであることを特徴とする請求項１から１０のいずれか一項に記載の放射線画像撮影システム。
【請求項１２】
前記装着検出部は、ホール素子であることを特徴とする請求項１から１０のいずれか一項に記載の放射線画像撮影システム。
【手続補正２】
【補正対象書類名】明細書
【補正対象項目名】００１２
【補正方法】変更
【補正の内容】
【００１２】
請求項７記載の発明は、放射線画像撮影システムにおいて、
放射線画像の撮影を行う放射線画像撮影装置と、
前記放射線画像撮影装置を保持する撮影台と、
を備え、
前記放射線画像撮影装置は、
前記撮影台への装着を検出する装着検出部と、
前記撮影台との間で無線通信を行う無線通信部とを備え、
前記放射線画像撮影装置は、
前記装着検出部により前記撮影台への装着が検出された後に前記無線通信部への電源供給を開始することを特徴とする。
請求項８記載の発明は、請求項７記載の放射線画像撮影システムにおいて、
前記放射線画像撮影装置は、
前記無線通信部により前記撮影台に設けられた通信端末と無線通信を行い、当該通信端末から前記撮影台に記憶された情報を取得することを特徴とする。
請求項９記載の発明は、請求項８記載の放射線画像撮影システムにおいて、
前記放射線画像撮影装置は、
前記撮影台に記憶された情報として前記撮影台に関する情報を取得することを特徴とする。
請求項１０記載の発明は、請求項７から９のいずれか一項に記載の放射線画像撮影システムにおいて、
前記放射線画像撮影装置は、
前記装着検出部により前記放射線画像撮影装置の前記撮影台への装着が検出された状態で、
前記無線通信部が前記撮影台に設けられた通信端末との間で無線通信ができなかった場合に、
前記装着検出部による前記放射線画像撮影装置の前記撮影台への装着の検出を再度実行することを特徴とする。
請求項１１記載の発明は、請求項１から１０のいずれか一項に記載の放射線画像撮影システムにおいて、
前記装着検出部は、加速度センサーであることを特徴とする。
【手続補正３】
【補正対象書類名】明細書
【補正対象項目名】００１３
【補正方法】変更
【補正の内容】
【００１３】
請求項１２記載の発明は、請求項１から１０のいずれか一項に記載の放射線画像撮影システムにおいて、
前記装着検出部は、ホール素子であることを特徴とする。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
生体の穿刺対象部位を穿刺する穿孔針を有する穿孔針ホルダ、前記穿刺対象部位の穿刺痕より流出する体液を捕集する容器を有する容器ホルダ、前記穿刺痕を封止するシールを有するシールホルダ、及び前記穿孔針ホルダ、前記容器ホルダ並びに前記シールホルダを移動可能に保持するカートリッジケースを有するカートリッジと、
前記穿刺対象部位と前記カートリッジの水平方向の相対位置を変化させ、かつ、前記穿刺対象部位と前記穿孔針、前記容器及び前記シールの垂直方向の相対位置を変化させる駆動機構と、
前記穿刺対象部位の一部を固定するための第一の固定機構と、
前記穿刺対象部位の別の一部を圧迫するための圧迫機構を備えると共に位置が可変である第二の固定機構を備えていることを特徴とする採血装置。
【請求項２】
請求項１記載の採血装置において、
前記第二の固定機構を前記第一の固定機構から離れる方向に付勢する付勢手段を有する、採血装置。
【請求項３】
請求項１記載の採血装置において、
前記第一の固定機構で保持された前記穿刺対象部位の一部を露出させる孔を有する台を備え、
前記第一の固定機構は、前記穿刺対象部位を固定している状態で前記孔に向けて前記穿刺対象部位を押し付ける押さえ手段を有する、採血装置。
【請求項４】
請求項１記載の採血装置において、
前記穿刺対象部位は指の末節の腹であり、
前記第一の固定機構と前記第二の固定機構は指の長さ方向に並んで配置しており、
前記第二の固定機構は指の長さ方向に移動可能である、採血装置。
【請求項５】
請求項４記載の採血装置において、
前記第一の固定機構で保持された指の一部を露出させる孔を有する台を備え、
前記第一の固定機構は、指を固定している状態で前記孔に向けて指を押し付ける押さえ手段を有する、採血装置。
【請求項６】
請求項５記載の採血装置において、
前記押さえ手段を前記第一の固定機構に連結する複数のバネ部材を備え、
固定される指の先端に近い位置の押さえ手段を連結するバネ部材は、固定される指の先端に遠い位置の押さえ手段を連結するバネ部材よりも大きいバネ定数を有する、採血装置。
【請求項７】
請求項１記載の採血装置において、
前記カートリッジは使い捨てである、採血装置。
【請求項８】
請求項１記載の採血装置において、
前記カートリッジケースは下面が開放されており、
前記駆動機構は前記カートリッジケースに保持された前記穿孔針ホルダ、前記容器ホルダ、及び前記シールホルダを下から押し上げる押し上げ部材を有する、採血装置。
【請求項９】
請求項１記載の採血装置において、
前記穿刺対象部位の血流音を集音する集音機を備える、採血装置。
【請求項１０】
請求項１記載の採血装置において、
前記第一の固定機構で保持された指の一部を露出させる孔を有する台と、
前記孔から露出した前記穿刺対象部位を撮像する画像取得手段を備える、採血装置。
【請求項１１】
請求項１記載の採血装置において、
前記駆動機構の動作を制御する制御ボタンを表示するインターフェイスを有する、採血装置。
【請求項１２】
請求項１１記載の採血装置において、
前記インターフェイスは、被験者情報、採血条件情報、前記穿刺対象部位と前記カートリッジの状態情報、血流の状態情報の少なくともいずれかの情報を表示する、採血装置。
【請求項１３】
請求項１記載の採血装置において、
前記第一の固定機構で保持された前記穿刺対象部位の一部を露出させる孔を有する台を有し、
前記カートリッジケースは上向きに突出したヘリを持ち、
前記孔から露出した前記穿刺対象部位の一部は、前記台および前記カートリッジケースで囲まれた空間に位置付けられる、採血装置。
【請求項１４】
穿刺針、容器およびシールを移動可能に保持するカートリッジを装置に取り付ける工程と、
穿刺対象部位を圧迫する工程と、
前記カートリッジに保持された穿刺針を穿刺対象部位に押しつける工程と、
前記カートリッジを水平方向に移動させる工程と、
前記カートリッジに保持された容器を穿刺痕に押しつけ、当該穿刺痕より流出する体液を収集する工程と、
前記カートリッジをさらに水平方向に移動させる工程と、
穿刺対象部位に対する圧迫を開放する工程と、
前記カートリッジに保持されたシールを前記穿刺痕に押しつけ、当該穿刺痕をシールで封止する工程と、を有する採血方法。
【請求項１５】
請求項１４の採血方法において、
前記穿刺対象部位を圧迫しながら前記穿刺対象部位の血流音を計測し、血流音が消失した圧力で前記穿刺対象部位を穿刺するように穿刺針を押し付けるタイミングを制御する、採血方法。
【請求項１６】
請求項１４の採血方法において、
前記カートリッジを取り付けた後、前記穿刺対象部位と前記カートリッジの位置を画像または動画で確認すると共に、
前記穿刺対象部位を穿刺した後、前記穿刺痕からの体液の流出を画像取得手段で確認したのち、前記容器を前記穿刺痕に押しつける、採血方法。
【請求項１７】
請求項８記載の採血装置において、
前記容器ホルダは、前記容器ホルダの内部に貫通した貫通路を底面に有し、
前記押し上げ部材は、端部が開放された第一の口と第二の口を連結する内部流路を有し、
流路を介して前記第二の口に連結可能な吸引ポンプを備え、
前記押し上げ部材が前記容器ホルダを下から押し上げる際に、前記第一の口と前記容器ホルダに設けられた貫通路が連結するように配置され、前記第二の口は前記流路を介して前記吸引ポンプと接続される、採血装置。
【請求項１８】
請求項１７記載の採血装置において、
前記第一の固定機構で保持された指の一部を露出させる孔を有する台を備え、
前記容器ホルダの上端部および前記押し上げ部材の上端部に圧縮変形可能な緩衝材を有し、
前記押し上げ部材が前記容器ホルダを前記台に押しあてたとき、前記穿刺対象部位の周囲は前記容器ホルダと前記台により密閉され、さらに前記密閉された空間は、前記容器ホルダの底面の貫通路を介し、前記吸引ポンプに連結する、採血装置。
【請求項１９】
請求項１８記載の採血装置において、
前記吸引ポンプにより前記密閉された空間を減圧することにより、前記穿刺痕より流出する体液量を制御する、採血装置。
【請求項２０】
請求項１記載の採血装置において、
前記穿孔針が前記穿刺対象部位を穿刺した後、当該穿刺対象部位の別の一部の圧迫と解放を繰り返すように前記圧迫機構を制御する制御機構を備える、採血装置。
【請求項２１】
請求項４記載の採血装置において、
前記圧迫機構は、指の節の背側を圧迫する、採血装置。
【請求項２２】
請求項１記載の採血装置において、
前記カートリッジケースはさらに、生体の前記穿刺対象部位を消毒する消毒器を有する消毒器ホルダを保持する、採血装置。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
X線を発生するX線管と、
被検体の乳房を透過した前記X線を検出するX線検出器と、
前記被検体の乳房が載置される撮影台と、
前記撮影台に載置された前記乳房を圧迫する圧迫板と、
前記撮影台に接離する方向に前記圧迫板を駆動する圧迫板駆動部と、
操作者の操作に応じて前記圧迫板駆動部を動作させるハンドスイッチと、
前記ハンドスイッチの操作されている状態に応じて、前記被検体の乳房が左右何れの乳房であるかを判別する左右判別部と、
前記X線検出器にて検出された前記X線に基づいて前記乳房のＸ線画像を生成し、当該Ｘ線画像に前記左右判別部により判別された結果を表す情報を付与する画像処理部と、
を有するマンモグラフィ装置。
【請求項２】
前記左右判別部は、前記操作者の左右何れの手において操作されているかによって、前記被検体の乳房が左右何れの乳房であるかを判別する請求項１に記載のマンモグラフィ装置。
【請求項３】
前記ハンドスイッチの上端に設けられ、前記操作者の操作に応じて、前記圧迫板を動作させる信号を入力する入力部と、
前記入力部が押下される方向に対して、前記ハンドスイッチの周方向を取り囲むガード部と、
前記ガード部の少なくとも一部の領域であって、前記入力部が押下される方向に対して設けられる開口部と、
前記ハンドスイッチの側面の一部に前記操作者の手との接触を検出するためのセンサと、
を更に有する請求項２に記載のマンモグラフィ装置。
【請求項４】
前記センサは前記ハンドスイッチの側面であって、且つ前記開口部に対して前記ハンドスイッチの側面上における左側及び右側にそれぞれ設けられており、
前記左右判別部は、前記それぞれ設けられた前記センサの内、前記操作者の手との接触を検出した一方の前記センサからの情報に基づいて、前記操作者が前記ハンドスイッチを握っている手の左右を判別する請求項３に記載のマンモグラフィ装置。
【請求項５】
操作者が足で操作することで、前記圧迫板駆動部を動作させる信号を入力するフットスイッチと、
前記センサが前記操作者の手との接触を検出すると、前記フットスイッチの動作を制限するように制御するスイッチ切替制御部と、
を更に有する請求項３又は４に記載のマンモグラフィ装置。
【請求項６】
操作者の指紋情報を記憶する記憶部と、
前記ハンドスイッチに設けられ、前記操作者の操作に応じて、前記圧迫板駆動部を動作させる信号を入力する入力部と、
前記入力部の上面に設けられ、前記操作者の指紋を検出する指紋センサと、
を更に有し、
前記左右判別部は、前記記憶部に記憶されている前記操作者の指紋情報と前記指紋センサによって検出された指紋に基づいて、前記操作者が前記ハンドスイッチを握っている手の左右を判別する請求項２に記載のマンモグラフィ装置。
【請求項７】
操作者の静脈情報を記憶する記憶部と、
前記ハンドスイッチに設けられ、前記操作者の操作に応じて、前記圧迫板駆動部を動作させる信号を入力する入力部と、
前記入力部の上面に設けられ、前記操作者の静脈情報を検出する静脈認証部を更に有し、
前記左右判別部は、前記記憶部に記憶されている前記操作者の静脈情報と前記静脈認証部からの情報の照合を行うことにより、前記操作者が前記ハンドスイッチを握っている手の左右を判別する請求項２に記載のマンモグラフィ装置。
【請求項８】
前記入力部は、
前記開口部に対して左側に設けられる第１の入力部と、
前記開口部に対して右側に設けられる第２の入力部と、
から構成され、
前記左右判別部は、前記第１の入力部又は前記第２の入力部の何れかを介して操作者によって入力された情報に基づいて、前記乳房の左右を判別する請求項３に記載のマンモグラフィ装置。
【請求項９】
前記ハンドスイッチは、前記圧迫板を上昇させるための入力部を更に有する請求項１又は２に記載のマンモグラフィ装置。
【請求項１０】
Ｘ線を発生させるＸ線管及び被検体の乳房を透過したＸ線を検出するＸ線検出器を保持するアームを更に有し、
前記ハンドスイッチは、前記アームを上下動させるための入力部を更に有する請求項１又は２に記載のマンモグラフィ装置。
【請求項１１】
被検体の乳房上でＸ線が照射される範囲を示す照射野ランプを更に有し、
前記ハンドスイッチは、前記照射野ランプを駆動するための入力部を更に有する請求項１又は２に記載のマンモグラフィ装置。
【請求項１２】
前記画像処理部によって生成された前記Ｘ線画像を表示する表示部と、
前記画像処理部に設けられ、操作者からの入力操作を介して前記表示部に表示された前記Ｘ線画像上の乳房の左右に関する情報を受け付ける入力部と、
前記左右判別部によって付与された情報と前記入力部を介して受け付けた情報とが一致しているか否かを判別し、当該判別の結果を前記表示部に表示させるシステム制御部と、を更に有する請求項２に記載のマンモグラフィ装置。
【請求項１３】
前記システム制御部は、前記左右判別部によって付与された情報と前記入力部を介して受け付けた情報とが一致しない場合に前記表示部に確認画面を表示する請求項１２に記載のマンモグラフィ装置。
【請求項１４】
前記システム制御部は、前記左右判別部によって付与された情報と前記入力部を介して受け付けた情報とが一致しない場合に、前記入力部を介して前記Ｘ線画像上の乳房の左右に関する情報の修正を受け付ける請求項１２又は１３に記載のマンモグラフィ装置。
【請求項１５】
ネットワークを介してマンモグラフィ装置と接続され、当該マンモグラフィ装置に具備され被検体の乳房を圧迫する圧迫板を降下させるための入力部を備え、操作者が片手で把持可能な形状であるハンドスイッチ。
【手続補正２】
【補正対象書類名】明細書
【補正対象項目名】０００６
【補正方法】変更
【補正の内容】
【０００６】
実施形態のマンモグラフィ装置は、X線を発生するX線管と、前記被検体の乳房を透過した前記X線を検出するX線検出器と、被検体の乳房が載置される撮影台と、前記撮影台に載置された前記乳房を圧迫する圧迫板と、前記撮影台に接離する方向に前記圧迫板を駆動する圧迫板駆動部と、操作者の操作に応じて前記圧迫板駆動部を動作させるハンドスイッチと、前記ハンドスイッチの操作されている状態に応じて、前記被検体の乳房が左右何れの乳房であるかを判別する左右判別部と、前記X線検出器にて検出された前記X線に基づいて前記乳房のＸ線画像を生成し、当該Ｘ線画像に前記左右判別部により判別された結果を表す情報を付与する画像処理部とを具備する。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
可塑性油脂組成物中の油脂に占める、ＭＭＭの含有量が０．０１質量％以上５質量％未満である可塑性油脂組成物であって、前記油脂が、１６〜５０質量％のＬ２Ｘ油脂と、１０〜６５質量％のラウリンＴＡＧ油脂および／または５〜５０質量％の乳由来油脂と、を含む、前記可塑性油脂組成物。
ただし、Ｍ、Ｌ、Ｘ、ＭＭＭ、Ｌ２Ｘ油脂およびラウリンＴＡＧ油脂は、以下を意味する。
Ｍ：炭素数６〜１０の脂肪酸
Ｌ：炭素数１６〜２４の飽和脂肪酸
Ｘ：炭素数１６〜２４の不飽和脂肪酸
ＭＭＭ：グリセロール１分子に３分子のＭが結合したトリアシルグリセロール
Ｌ２Ｘ油脂：４０質量％以上の、グリセロール１分子に２分子のＬと１分子のＸが結合したトリアシルグリセロール（Ｌ２Ｘ）、を含有する油脂
ラウリンＴＡＧ油脂：４０質量％以上の、構成脂肪酸として少なくとも１分子のラウリン酸を含むトリアシルグリセロール（ラウリンＴＡＧ）、を含有する油脂
【請求項２】
前記油脂に占める、Ｌ２ＭおよびＬＭ２の合計含有量が０．０１〜１０質量％である、請求項１に記載の可塑性油脂組成物。
ただし、Ｌ２ＭおよびＬＭ２は、以下を意味する。
Ｌ２Ｍ：グリセロール１分子に２分子のＬと１分子のＭが結合したトリアシルグリセロール
ＬＭ２：グリセロール１分子に１分子のＬと２分子のＭが結合したトリアシルグリセロール
【請求項３】
前記油脂に占める、前記ＬＭ２の含有量に対する前記Ｌ２Ｍの含有量の質量比（Ｌ２Ｍ／ＬＭ２）が、０．０５〜４．５である、請求項２に記載の可塑性油脂組成物。
【請求項４】
前記油脂に占める、ラウリン酸含有トリアシルグリセロール（ラウリンＴＡＧ）の含有量が６〜５４質量％である、請求項１〜３の何れか１項に記載の可塑性油脂組成物。
【請求項５】
前記油脂に占める、Ｌ２Ｘの含有量が８〜４０質量％である、請求項１〜４の何れか１項に記載の可塑性油脂組成物。
【請求項６】
前記油脂に占める、ＬＸ２およびＸＸＸの合計含有量が１０〜７０質量％である、請求項１〜５の何れか１項に記載の可塑性油脂組成物。
ただし、ＬＸ２およびＸＸＸは、以下を意味する。
ＬＸ２：グリセロール１分子に１分子のＬと２分子のＸが結合したトリアシルグリセロール
ＸＸＸ：グリセロール１分子に３分子のＸが結合したトリアシルグリセロール
【請求項７】
２〜７０質量％のＭＭＭと、２０〜９８質量％のＬ２ＭおよびＬＭ２と、を含む可塑性油脂組成物用の添加剤を、油脂中に０．０５〜１５質量％含む、請求項１〜６の何れか１項に記載の可塑性油脂組成物。
【請求項８】
２〜７０質量％のＭＭＭと、２０〜９８質量％のＬ２ＭおよびＬＭ２と、を含む可塑性油脂組成物用の添加剤を、油脂中に０．０５〜１５質量％に使用する、請求項１〜６の何れか１項に記載の可塑性油脂組成物の製造方法。
【手続補正書】
【提出日】平成31年3月27日(2019.3.27)
【手続補正１】
【補正対象書類名】明細書
【補正対象項目名】００５６
【補正方法】変更
【補正の内容】
【００５６】
ここで、割線の溝の幅方向両端部に対応した位置を含むように割線に沿って印刷した直線とは、第１面においては、割線の溝を形成する幅方向両端部を含み割線に沿って印刷した直線であればよく、多少溝外の位置を含む直線であってもよい。また、第２面においては、第１面における割線の溝を形成する幅方向両端部を含む幅を有する直線を割線に対応する位置・回転角に印刷したものであればよく、多少幅広であってもよい。さらに、実施例３におけるマークＭ３、マークＭ４の直線は実線であるが、必ずしもこれに限定されず、破線であっても点線であっても一点鎖線であってもよい。また、マークＭ３とマークＭ４とは互いに異なる形状のマークであってもよい。
【手続補正２】
【補正対象書類名】明細書
【補正対象項目名】００５７
【補正方法】変更
【補正の内容】
【００５７】
図５に示すマークＭ３、Ｍ４を印刷した錠剤Ｔを分割した場合の例を図６に示す。図６（ａ）は、正常に分割した場合の例である。すなわち、正常分割の場合は、マークＭ３又はマークＭ４における幅方向の一方の端部が錠剤Ｔの一方の端部から他方の端部まで途切れることなく継続していることが確認でき、かつマークＭ３又はマークＭ４における幅方向の他方の端部が確認できない。これに対し、異常分割の場合は、マークＭ３又はマークＭ４における幅方向の一方の端部が錠剤Ｔの一方の端部から他方の端部まで途切れることなく継続していることが確認でき、かつマークＭ３又はマークＭ４における幅方向の他方の端部の少なくとも一部が確認できる（図６（ｂ））。又は、別の例では、マークＭ３又はマークＭ４における幅方向の一方の端部が錠剤Ｔの一方の端部から他方の端部まで途切れることなく継続していることが確認できない（途中で途切れている）（図６（ｃ））。
【手続補正３】
【補正対象書類名】明細書
【補正対象項目名】００６３
【補正方法】変更
【補正の内容】
【００６３】
ここで、マークＭ５又はマークＭ６は直線であればよく、破線や点線や一点鎖線であってもよい。さらに、実施例４おいては、第１面にマークＭ６、第２面にマークＭ５を印刷したが、必ずしもこれに限定されず、第１面にマークを印刷せず、第２面のみにマークＭ５を印刷する構成としてもよい。また、マークＭ６とマークＭ５とは互いに異なる形状のマークであってもよい。
【手続補正４】
【補正対象書類名】明細書
【補正対象項目名】００６６
【補正方法】変更
【補正の内容】
【００６６】
このように、実施例４においては、マークが割線の溝の幅方向両端部に対応した位置を含むように前記割線に沿って印刷した直線であり、かつ当該直線が溝の幅方向の一方の端部に対応する位置の一方の直線と他方の端部に対応する位置の他方の直線の２本であるとしたことにより、溝幅方向の中央部はマークを印刷しないためインクの量を節約できるとともに、錠剤分割後に分割異常が判断可能な形状のマークであることにより、目視又は一包化装置において、錠剤分割後に正常に分割できたか異常な分割かを判断することができる。
【手続補正５】
【補正対象書類名】明細書
【補正対象項目名】００６８
【補正方法】変更
【補正の内容】
【００６８】
１１：ディスク    １２：ディスク    １３：ディスク    
１４：パーツフィーダ    １５：錠剤投入部    １７：収納箱    
２１：印刷装置    ３１：印刷装置    ４１：撮像装置    ５１：撮像装置    
Ｍ１〜Ｍ６：マーク    Ｔ：錠剤
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
支持架台と、
背ボトムと腰ボトムと前記腰ボトムの側部に配置された側材とを有し、かつ前記支持架台に支持される寝台と、
を備え、
前記側材が、前記腰ボトムのマットレス載置面から上方に向けて延びる第一のマットレス規制部と、前記背ボトムのマットレス載置面よりも上方に配置された第一のボトムヒンジとを有し、
前記背ボトムは、前記第一のボトムヒンジを回動中心として上方に回動することを特徴とする寝台装置。
【請求項２】
前記側材が第二のボトムヒンジを有し、
前記寝台が、
前記第二のボトムヒンジを回動中心として上下方向に回動する膝ボトムと、
前記膝ボトムに対して上下方向に回動する足ボトムと、を備え、
前記足ボトムに、前記足ボトムが上下方向に回動する際に前記足ボトムと前記支持架台との間で摺動する摺動部材が設けられ、
前記摺動部材が、前記足ボトムのマットレス載置面から上方に向けて延びる第二のマットレス規制部を有することを特徴とする請求項１に記載の寝台装置。
【請求項３】
カセッテを収容可能なカセッテホルダを保持可能なホルダ保持部を備え、
前記カセッテホルダは、背ボトムまたは他のボトムに配置されたボトム側目盛部と対応するホルダ側目盛部を備えることを特徴とする請求項１または２に記載の寝台装置。
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
足ボトムを回動自在に支持するメインフレームと、前記足ボトムの角度を調節するためのステーと、該ステーを支持する、前記メインフレームに固着された支持部材と、を備えた足ボトム支持構造において、
前記ステーは、２つの回転支持部と、２つの操作部と、２つの被支持部と、連結部と、が一体に形成され、
前記２つの被支持部はそれぞれ、前記支持部材に支持され、
前記連結部は、前記２つの被支持部の間に延在し、かつ両端が前記２つの被支持部にそれぞれ連なっており、
前記２つの回転支持部はそれぞれ、前記足ボトムに対して回転自在に挿通され、
前記２つの操作部はそれぞれ、前記回転支持部と前記被支持部との間に延在し、かつ前記回転支持部および前記被支持部に連なっている
ことを特徴とする足ボトム支持構造。
【請求項２】
前記２つの回転支持部、前記２つの操作部、前記２つの被支持部、および前記連結部はそれぞれ、互いに同等の大きさの断面を有することを特徴とする請求項１に記載の足ボトム支持構造。
【請求項３】
前記ステーは屈曲した棒状に形成されていることを特徴とする請求項１または２に記載の足ボトム支持構造。
【請求項４】
前記ステーは、前記２つの操作部が前記２つの被支持部から同じ側に延びることによってＣ字状に形成されていることを特徴とする請求項１から３のいずれか１項に記載の足ボトム支持構造。
【請求項５】
前記支持部材が、前記ステーの上方への移動を規制する上方規制部を有することを特徴とする請求項１から４のいずれか１項に記載の足ボトム支持構造。
【請求項６】
使用者の膝から足先を支える足ボトムと、
前記足ボトムを支持し、その角度を調節可能な足ボトム支持構造と、を有する寝台装置において、
前記足ボトム支持構造は、請求項１から請求項５のいずれか１項に記載の足ボトム支持構造であることを特徴とする寝台装置。
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
把持部の前方に左右一対のローラーを前後方向に複数並設した本体であって、最も後方の前記左右一対のローラーの間隔を、最も前方の前記左右一対のローラーの間隔よりも大きくすると共に、各前記左右一対のローラーの各前記間隔が可変となるよう、前記本体を前方から前記把持部側へ途中まで左右に分断する分断部を設けると共に前記本体は弾性を有し、前記本体の側面投影において、最も後方の前記左右一対のローラーの各回転軸中心線及び最も前方の前記左右一対のローラーの各回転軸中心線のいずれかの傾きが垂直方向になる状態で、最も後方の前記左右一対のローラーの各前記回転軸中心線上にある各先端頂点の位置を、最も前方の前記左右一対のローラーの各前記回転軸中心線上にある各先端頂点の位置よりも高くしたことを特徴とする美容ローラー。
【請求項２】
前記本体の正面投影において最も前方の前記左右一対のローラーの各前記回転軸中心線の相互角度を、最も後方の前記左右一対のローラーの各前記回転軸中心線の相互角度よりも小さくしたことを特徴とする請求項１に記載の美容ローラー。
【手続補正２】
【補正対象書類名】明細書
【補正対象項目名】０００６
【補正方法】変更
【補正の内容】
【０００６】  本発明の美容ローラーは、把持部の前方に左右一対のローラーを前後方向に複数並設した本体であって、最も後方の前記左右一対のローラーの間隔を、最も前方の前記左右一対のローラーの間隔よりも大きくすると共に、各前記左右一対のローラーの各前記間隔が可変となるよう、前記本体を前方から前記把持部側へ途中まで左右に分断する分断部を設けると共に前記本体は弾性を有し、前記本体の側面投影において、最も後方の前記左右一対のローラーの各回転軸中心線及び最も前方の前記左右一対のローラーの各回転軸中心線のいずれかの傾きが垂直方向になる状態で、最も後方の前記左右一対のローラーの各前記回転軸中心線上にある各先端頂点の位置を、最も前方の前記左右一対のローラーの各前記回転軸中心線上にある各先端頂点の位置よりも高くしたことを最も主要な特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００９
【補正方法】変更
【補正の内容】
【０００９】  本発明の美容ローラーは、最も後方の前記左右一対のローラーの前記間隔を、最も前方の前記左右一対のローラーの前記間隔よりも大きくしているため、最も前方の前記左右一対のローラーで、身体における細く、または柔らかい部位を十分に摘まむと同時に、最も前方の前記左右一対のローラーよりも身体部位が入りやすくなっている最も後方の前記左右一対のローラーで、身体における太く、または硬い部位も同じように十分に摘まむことができるので、効果的なマッサージを施せる。また、各前記左右一対のローラーの各前記間隔が可変となるよう、前記本体を前方から前記把持部側へ途中まで左右に分断する分断部を設けると共に前記本体は弾性を有するので、各前記左右一対のローラーの間に身体部位が入りやすくなって、様々な身体部位の太さや硬さ、また凸凹面に対応しやすくなり、充実した効果的なマッサージを施すことが可能になる。また、本発明の美容ローラーは、前記本体の側面投影において、各前記回転軸中心線のいずれかの傾きが垂直方向になる状態で、最も後方の前記左右一対のローラーの各前記回転軸中心線上にある各先端頂点の位置を、最も前方の前記左右一対のローラーの各前記回転軸中心線上にある各先端頂点の位置よりも高くしたため、最も後方の前記左右一対のローラーに力がかかり過ぎず、最も前方の前記左右一対のローラーにも適度な力がかかるようになり、最も後方の前記左右一対のローラーで身体における膨らんだ部位を十分に摘まむと同時に、最も前方の前記左右一対のローラーで身体における痩せた部位も同じように十分に摘まんで効果的にマッサージを施すことができる。
【手続補正５】
【補正対象書類名】明細書
【補正対象項目名】００１０
【補正方法】削除
【補正の内容】
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
筐体の一側部に操作受付部が設けられ、該操作受付部が受け付けるプレイヤ操作に基づいて景品を取得する景品取得ゲーム装置であって、
前記一側部と正対するように前記筐体を見て、手前側を正面側とし、奥側を背面側とし、前記正面側から前記背面側に向かう方向を奥行方向とし、前記奥行方向と直交する水平方向を幅方向としたとき、
透明で景品を収容する収容空間を区画形成する収容部と、
前記収容空間において景品の取得動作を行う景品取得部と、
光を発する発光部と、
前記発光部の発光を制御するとともに、前記操作受付部が受け付けたプレイヤ操作に基づいて前記景品取得部の移動を制御する制御部と、を備え、
前記収容部は、前記正面側における前記収容空間の端部を区画する正面板と、前記幅方向における前記収容空間の端部を区画する側面板と、を有し、
前記側面板は、前記奥行方向に延在する側面部と、前記幅方向に延在し前記正面板よりも前記正面側に配置される正面部と、を有し、
前記発光部は、前記側面部の一端面である入射面と対向配置され、
前記制御部は、プレイヤ操作を待機する操作待機モードの実行時に、前記操作待機モードの非実行時と比べて、前記発光部の輝度を低くし、
前記側面板は、前記入射面から入射した光を内部で反射させながら前記正面側に導き、前記正面部から出射させるように構成されていることを特徴とする景品取得ゲーム装置。
【手続補正書】
【提出日】令和1年5月21日(2019.5.21)
【手続補正１】
【補正対象書類名】明細書
【補正対象項目名】００６３
【補正方法】変更
【補正の内容】
【００６３】
変形例．
図７は本発明の実施形態の変形例に係る血圧脈波測定装置１００Ａの内部の制御系の構成を概略的に示すブロック図である。本変形例に係る血圧脈波測定装置１００Ａは、図２の血圧脈波測定装置１００と比較すると、エアタンク５０ａｒ，５０ａｌ，５０ｂｒ，５０ｂｌ及び配管５１ａｒ，５１ａｌ，５１ｂｒ，５１ｂｌの代わりに、メインユニット１０１内の配管２２ｂｒ，２２ｂｌの端部に設けられたエアタンク５０Ａｂｒ，５０Ａｂｌと、アンクルユニット１０２内の配管２２ａｒ，２２ａｌの端部に設けられるエアタンク５０Ａａｒ，５０Ａａｌとを備えたことが相違する。
【手続補正２】
【補正対象書類名】図面
【補正対象項目名】図１
【補正方法】変更
【補正の内容】
【図１】
2017225749.tif 000001
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
寝台装置に設けられた支持筒体に取付けられる補助柵であって、
前記支持筒体に取付けられる取付け部と、点滴支持具が取付けられる被取付け部と、を備えていることを特徴とする補助柵。
【請求項２】
前記取付け部と前記被取付け部が同心に設けられていることを特徴とする請求項１に記載の補助柵。
【請求項３】
前記被取付け部には、前記被取付け部及び前記点滴支持具の取付け部の相対回転を規制する回転規制部が設けられていることを特徴とする請求項１又は２に記載の補助柵。
【請求項４】
前記補助柵は、前記寝台装置の寝台装置本体に複数立設された壁状部材同士の間に位置する部分に取付けられ、前記壁状部材同士の間の隙間を埋めることを特徴とする請求項１から３のいずれか１項に記載の補助柵。
【請求項５】
支持筒体が設けられた寝台装置であって、
前記支持筒体には、請求項１から４のいずれか１項に記載の補助柵が取付けられることを特徴とする寝台装置。
【請求項６】
前記寝台装置は、寝台装置本体と、前記寝台装置本体の外周縁部に複数立設された壁状部材と、を備え、
前記壁状部材には、前記補助柵が収容される収容部が配設されていることを特徴とする請求項５に記載の寝台装置。
【請求項７】
前記収容部には、前記壁状部材の上端縁に引っ掛けられるフック部と、前記寝台装置本体の外側で、前記補助柵を該補助柵の下側から保持する保持部と、が形成されていることを特徴とする請求項６に記載の寝台装置。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
遊技者にとって有利度が異なる複数段階の設定値のうちいずれかの設定値に設定可能な設定手段と、
前記有利状態の終了後に前記有利状態に制御される確率が通常状態よりも高くなる特別状態に制御可能な特別状態制御手段と、
設定されている設定値を遊技者に示唆する設定示唆演出を実行可能な設定示唆演出実行手段と、を備え、
前記有利状態は、第１有利状態と、当該第１有利状態よりも不利な第２有利状態とを含み、
前記第１有利状態に制御されたときと、前記第２有利状態に制御されたときとで前記設定示唆演出を実行する割合が異なる、遊技機。
【手続補正２】
【補正対象書類名】明細書
【補正対象項目名】０００２
【補正方法】変更
【補正の内容】
【０００２】
従来、設定変更操作にもとづいて複数段階の設定値のうちのいずれかに設定可能であり、設定された設定値にもとづいて遊技者にとって有利な有利状態の制御を実行可能なパチンコ遊技機があった。このようなパチンコ遊技機において、設定値の変更前と変更後との設定値に応じて、識別情報の可変表示中においてキリン，ゾウ，ライオンのいずれかを表示して設定値の示唆を実行する遊技機があった（例えば、特許文献１参照）。また、高確低ベース状態である所謂潜伏確変状態が繰返される遊技機があった（例えば、特許文献２参照）。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１１−７８６７０号公報
【手続補正４】
【補正対象書類名】明細書
【補正対象項目名】０００４
【補正方法】変更
【補正の内容】
【０００４】
しかし、特許文献２のような遊技機で特許文献１のような設定を示唆する演出を実行する場合、設定を示唆する演出の実行契機については改善の余地があった。
【手続補正５】
【補正対象書類名】明細書
【補正対象項目名】０００５
【補正方法】変更
【補正の内容】
【０００５】
この発明は、上記の実状に鑑みてなされたものであり、設定を示唆する演出の実行契機について注目させることができ、遊技の興趣が向上する遊技機を提供することを目的とする。
【手続補正６】
【補正対象書類名】明細書
【補正対象項目名】０００６
【補正方法】変更
【補正の内容】
【０００６】
可変表示を行い、遊技者にとって有利な有利状態（例えば、大当り遊技状態）に制御可能な遊技機（例えば、パチンコ遊技機１）であって、
遊技者にとって有利度が異なる複数段階の設定値（例えば、設定値１〜３）のうちいずれかの設定値に設定可能な設定手段（例えば、ＣＰＵ１０３が設定変更処理を実行する部分）と、
前記有利状態の終了後に前記有利状態に制御される確率が通常状態よりも高くなる特別状態（例えば、高確率状態）に制御可能な特別状態制御手段（例えば、ＣＰＵ１０３）と、
設定されている設定値を遊技者に示唆する設定示唆演出（例えば、図２１−６に示す設定示唆演出）を実行可能な設定示唆演出実行手段（例えば、演出制御用ＣＰＵ１２０）と、を備え、
前記有利状態は、第１有利状態（例えば、大当りＡ）と、当該第１有利状態よりも不利な第２有利状態（例えば、大当りＤ）とを含み、
前記第１有利状態に制御されたときと、前記第２有利状態に制御されたときとで前記設定示唆演出を実行する割合が異なる（例えば、大当りＡでは、設定示唆演出が実行されないが大当りＤでは設定示唆演出が実行されることがある）。
このような構成によれば、有利状態の種類により設定示唆演出の実行割合が異なるため、設定を示唆する演出の実行契機について注目させることができ、遊技の興趣が向上する。
また、（１）本願発明に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
識別情報の可変表示を行い、遊技者にとって有利な有利状態に制御可能な遊技機であって、
遊技媒体が流下可能な遊技領域に設けられ、遊技媒体が進入容易な第１状態と、遊技媒体が進入困難または不可能な第２状態とに変化可能な特別可変手段と、
前記遊技領域における前記特別可変手段よりも上流側に設けられ、遊技媒体が進入可能な特別領域と、
遊技媒体が進入容易な第１状態と、遊技媒体が進入困難または不可能な第２状態とに変化可能な普通可変手段と、
前記特別領域へ遊技媒体が進入したことにもとづいて普通識別情報の可変表示を行う普通可変表示手段と、
普通識別情報の可変表示の表示結果にもとづいて前記普通可変手段を第１状態に変化させる普通可変制御手段と、
前記普通可変手段へ遊技媒体が進入したことにもとづいて識別情報の可変表示を行う可変表示実行手段と、
前記有利状態において前記特別可変手段を第１状態に変化させる特別可変制御手段と、
価値を付与する価値付与手段と、
複数段階の設定値のうちのいずれかの設定値に設定可能な設定手段と、を備え、
前記特別領域へ進入した遊技媒体は前記遊技領域から排出され、
前記有利状態において前記特別可変手段に向けて発射された遊技媒体は前記特別領域に進入可能であり、
前記価値付与手段は、前記特別領域へ遊技媒体が進入したことにもとづいて、前記特別領域へ遊技媒体が進入するために要する所定価値以下の価値を付与し、
通常状態において前記特別領域へ遊技媒体が進入したことにもとづいて特定報知を実行可能である一方、前記有利状態において前記特別領域へ遊技媒体が進入したことにもとづいて前記特定報知を実行しない特定報知実行手段をさらに備えた、
ことを特徴とする遊技機。
【手続補正２】
【補正対象書類名】明細書
【補正対象項目名】０００９
【補正方法】変更
【補正の内容】
【０００９】
（手段１）本発明による遊技機は、識別情報（例えば、特別図柄）の可変表示を行い、遊技者にとって有利な有利状態（例えば、大当り遊技状態）に制御可能な遊技機であって、遊技媒体（例えば、遊技球）が流下可能な遊技領域に設けられ、遊技媒体が進入容易な第１状態（例えば、開放状態）と、遊技媒体が進入困難または不可能な第２状態（例えば、閉鎖状態）とに変化可能な特別可変手段（例えば、特別可変入賞球手段７により形成される大入賞口）と、遊技領域における特別可変手段よりも上流側に設けられ、遊技媒体が進入可能な特別領域（例えば、普図作動口１１９ＩＷ０１）と、遊技媒体が進入容易な第１状態と、遊技媒体が進入困難または不可能な第２状態とに変化可能な普通可変手段（例えば、可変入賞球手段６Ｂ）と、特別領域へ遊技媒体が進入したことにもとづいて普通識別情報（例えば、普通図柄）の可変表示を行う普通可変表示手段（例えば、普通図柄表示器２０）と、普通識別情報の可変表示の表示結果にもとづいて普通可変手段を第１状態に変化させる普通可変制御手段（例えば、遊技制御用マイクロコンピュータ１００における、ステップ１１９ＩＷＳ５１００〜１１９ＩＷＳ５１０２を実行する部分）と、普通可変手段へ遊技媒体が進入したことにもとづいて識別情報の可変表示を行う可変表示実行手段（例えば、第１特別図柄表示手段４Ａ、第２特別図柄表示手段４Ｂ）と、有利状態において特別可変手段を第１状態に変化させる特別可変制御手段（例えば、遊技制御用マイクロコンピュータ１００における、ステップＳ１１４〜Ｓ１１６を実行する部分）と、価値を付与する価値付与手段（例えば、普図作動口１１９ＩＷ０１への遊技球の進入を検出した場合に遊技制御用マイクロコンピュータ１００がその旨を示すコマンドを送信し、該コマンドを受信した払出制御基板が１個の遊技球の払出制御を行う部分）と、複数段階の設定値のうちのいずれかの設定値に設定可能な設定手段と、を備え、特別領域へ進入した遊技媒体は遊技領域から排出され（例えば、普図作動口１１９ＩＷ０１に進入した遊技球は遊技盤２の盤面の裏側に排出される）、有利状態において特別可変手段に向けて発射された遊技媒体は特別領域に進入可能であり（例えば、特別可変入賞球手段７により形成される大入賞口に向けて打ち出された遊技球は普図作動口１１９ＩＷ０１に進入可能である）、価値付与手段は、特別領域へ遊技媒体が進入したことにもとづいて、特別領域へ遊技媒体が進入するために要する所定価値以下の価値を付与し（例えば、右打ちされた遊技球は２球に１球程度の割合で普図作動口１１９ＩＷ０１に進入する構成であって、払出制御基板は、普図作動口１１９ＩＷ０１に遊技球が進入した場合に１個の遊技球の払出制御を行う）、通常状態において特別領域へ遊技媒体が進入したことにもとづいて特定報知（例えば、左打ち指示報知演出）を実行可能である一方、有利状態において特別領域へ遊技媒体が進入したことにもとづいて特定報知を実行しない特定報知実行手段（例えば、演出制御用ＣＰＵ１２０における、通常状態において普図作動口１１９ＩＷ０１に遊技球が進入したことにもとづいてステップ１１９ＩＷＳ６５８を行うことにより左打ち指示報知演出を実行可能である一方（図１０−９参照）、大当り遊技状態において普図作動口１１９ＩＷ０１へ遊技球が入賞したことにもとづいて左打ち指示報知演出を実行しない部分）をさらに備えたことを特徴とする。そのような構成によれば、著しく射幸性が高くなることを防止することができる。
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
前記有利状態に制御されることを予告する予告演出を実行可能な予告演出実行手段を備え、
前記予告演出実行手段は、期待度の異なる複数種類の演出結果のうちいずれかの演出結果となるように前記予告演出を実行し、
前記予告演出の実行パターンは、
演出結果を表示する第１パターンと、
演出結果を表示した後に、当該演出結果を表示するよりも前の演出態様に変化させ、その後再度演出結果を表示する第２パターンと、を含み、
いずれの演出結果となるかに応じて、前記第２パターンにより前記予告演出を実行する割合が異なり、
前記予告演出実行手段は、前記第２パターンにより前記予告演出を実行する場合は、前記第１パターンによる演出結果を一旦表示させた後に、前記第２パターンにより前記予告演出を実行する旨を報知する、遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（大当り遊技状態等）に制御可能な遊技機（パチンコ遊技機１等）であって、
前記有利状態に制御されることを予告する予告演出（ＳＵ予告演出等）を実行可能な予告演出実行手段（演出制御用ＣＰＵ１２０等）を備え、
前記予告演出実行手段は、期待度の異なる複数種類の演出結果（ＳＵ１〜ＳＵ５の演出結果等）のうちいずれかの演出結果となるように前記予告演出を実行し、
前記予告演出の実行パターンは、
演出結果を表示する第１パターン（図９−１（Ａ）に示すＳＵ予告演出の演出結果のみを表示する第１パターン等）と、
演出結果を表示した後に、当該演出結果を表示するよりも前の演出態様に変化させ、その後再度演出結果を表示する第２パターン（図９−１（Ｂ）に示すＳＵ予告演出の演出結果を表示した後に、巻き戻し演出を実行し、再度ＳＵ予告演出の演出結果を表示する第２パターン等）と、を含み、
いずれの演出結果となるかに応じて、前記第２パターンにより前記予告演出を実行する割合が異なり（図９−３（Ｅ），（Ｆ）に示すように、ＳＵ４以上の演出結果でないと第２パターンを実行しない等）、
前記予告演出実行手段は、前記第２パターンにより前記予告演出を実行する場合は、前記第１パターンによる演出結果を一旦表示させた後に、前記第２パターンにより前記予告演出を実行する旨を報知する（図９−１（Ｂ），図９−２に示すように、第２パターンによりＳＵ予告演出を実行する場合には、第１パターンによるＳＵ３の演出結果を表示させた後に第２パターンによりＳＵ予告演出が実行される等）。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
設定操作にもとづいて複数段階の設定値のうちのいずれかの設定値に設定可能な設定手段と、
設定されている設定値にもとづいて前記有利状態に関する制御を実行可能な有利状態制御手段と、
所定条件の成立にもとづいて、複数回の可変表示にわたって特定演出を実行可能な特定演出実行手段と、を備え、
前記特定演出実行手段は、
設定されている設定値に応じて、異なる実行割合により前記特定演出を実行可能であり、
前記特定演出として、第１特定演出と、設定されている設定値が該第１特定演出より特定しやすい第２特定演出と、を実行可能である、
ことを特徴とする遊技機。
【手続補正２】
【補正対象書類名】明細書
【補正対象項目名】０００２
【補正方法】変更
【補正の内容】
【０００２】
リーチ演出の開始時に、リーチ演出の種類を報知するタイトル表示を行う遊技機や、設定操作にもとづいて複数段階の設定値のうちのいずれかの設定値に設定可能に構成され、設定されている設定値にもとづいて有利状態の制御を実行可能に構成された遊技機が提案されている（例えば特許文献１、特許文献２参照）。
【手続補正３】
【補正対象書類名】明細書
【補正対象項目名】０００３
【補正方法】変更
【補正の内容】
【０００３】
【特許文献１】特開２０１６−１０１４２８号公報
【特許文献２】特開２０１０−２００９０２号公報
【手続補正４】
【補正対象書類名】明細書
【補正対象項目名】０００４
【補正方法】変更
【補正の内容】
【０００４】
設定操作にもとづいて複数段階の設定値のうちのいずれかの設定値に設定可能に構成され、設定されている設定値にもとづいて有利状態の制御を実行可能に構成された遊技機では、設定値に関係する演出における演出効果の更なる改善や向上が求められるようになってきている。
【手続補正５】
【補正対象書類名】明細書
【補正対象項目名】０００５
【補正方法】変更
【補正の内容】
【０００５】
この発明は、上記の実状に鑑みてなされたものであり、設定されている設定値にもとづいて有利状態の制御を実行可能に構成した遊技機において、演出効果を高めることができるようにすることを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
可変表示を行い、遊技者にとって有利な有利状態に制御可能な遊技機であって、
設定操作にもとづいて複数段階の設定値のうちのいずれかの設定値に設定可能な設定手段と、
設定されている設定値にもとづいて前記有利状態に関する制御を実行可能な有利状態制御手段と、
所定条件の成立にもとづいて、複数回の可変表示にわたって特定演出を実行可能な特定演出実行手段と、を備え、
前記特定演出実行手段は、
設定されている設定値に応じて、異なる実行割合により前記特定演出を実行可能であり、
前記特定演出として、第１特定演出と、設定されている設定値が該第１特定演出より特定しやすい第２特定演出と、を実行可能である。
（１）他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。